(57)【要約】      （修正有）【課題】災害発生時に、携帯端末の電池の消耗を抑制しつつ、自宅までの徒歩による帰宅経路および徒歩による帰宅所要時間の取得を可能にする画像形成装置を提供する。【解決手段】災害情報を検知する制御部１１０と、災害情報を受信した携帯端末から送信される識別情報を含む災害印刷要求を受信し、または災害情報が検知されたときに携帯端末に要求することで携帯端末から送信される災害印刷要求を受信する通信部１３０と、地理情報を記憶する記憶部１２０と、を有し、制御部１１０は、災害印刷要求に含まれる識別情報および地理情報に基づいて、携帯端末の保有者の住所までの徒歩による帰宅経路と、帰宅経路の徒歩による帰宅所要時間を特定し、画像形成部１８０において、帰宅経路および帰宅所要時間を示す帰宅誘導画像を記録媒体に画像形成して出力する。【選択図】図２
2018176431.tif 000002
【特許請求の範囲】
【請求項１】
災害情報を検知する検知部と、
前記災害情報を受信した携帯端末から送信される、前記携帯端末および前記携帯端末の保有者の少なくともいずれか一方を識別可能な識別情報を含む災害印刷要求を受信し、または、前記検知部により前記災害情報が検知されたときに前記携帯端末に要求することにより前記携帯端末から送信される前記災害印刷要求を受信する通信部と、
地理情報を記憶する記憶部と、
前記災害印刷要求に含まれる前記識別情報および前記地理情報に基づいて、前記携帯端末の保有者の住所までの徒歩による帰宅経路と、前記帰宅経路の徒歩による帰宅所要時間とを特定する演算制御部と、
前記帰宅経路および前記帰宅所要時間を示す帰宅誘導画像を記録媒体に画像形成する画像形成部と、
を有する画像形成装置。
【請求項２】
前記演算制御部は、前記識別情報に基づいて前記携帯端末の保有者の住所を特定し、特定した前記住所および前記地理情報に基づいて前記帰宅経路と、前記帰宅所要時間とを特定する、請求項１に記載の画像形成装置。
【請求項３】
前記演算制御部は、前記災害情報が検知された後は、前記災害印刷要求に関する処理のみを実行するように前記画像形成装置を制御する、請求項１または２に記載の画像形成装置。
【請求項４】
前記通信部は、前記携帯端末と赤外線通信または無線ネットワーク通信により相互に通信可能に接続され、前記赤外線通信または前記無線ネットワーク通信により前記通信部により受信される前記災害印刷要求には前記携帯端末の充電残量がさらに含まれ、
前記演算制御部は、前記災害印刷要求に含まれる前記識別情報および前記充電残量に基づいて、前記災害印刷要求を送信した前記携帯端末の、常に画像が表示された状態における前記充電残量による稼働可能時間を算出し、前記稼働可能時間が前記帰宅所要時間以下の場合は記録媒体に前記帰宅誘導画像を画像形成する判断をし、前記稼働可能時間が前記帰宅所要時間を超える場合は前記帰宅誘導画像を画像形成しない判断をし、
前記画像形成部は、前記帰宅誘導画像を画像形成する判断がされた場合に、前記帰宅誘導画像を記録媒体に画像形成し、前記帰宅誘導画像を画像形成しない判断がされた場合は、前記帰宅誘導画像を記録媒体に画像形成しない、請求項１〜３のいずれか一項に記載の画像形成装置。
【請求項５】
外部からの前記画像形成装置への電源供給が停止したときに、蓄電した電力量により前記電源供給を代替する補助電源をさらに有し、
前記記憶部は、前記地理情報として、前記識別情報ごとに前記帰宅経路および前記帰宅所要時間を前記識別情報と関連付けてさらに記憶し、
前記演算制御部は、前記識別情報および前記地理情報に基づいて、前記識別情報と関連付けされた前記帰宅経路および前記帰宅所要時間を、前記識別情報が含まれる前記災害印刷要求を送信した前記携帯端末の保有者の前記帰宅経路および前記帰宅所要時間として特定する、請求項４に記載の画像形成装置。
【請求項６】
前記記憶部は、前記携帯端末の保有者ごとの通常時の帰宅の際の通勤手段をさらに記憶し、
前記演算制御部は、前記補助電源が前記画像形成装置への前記電源供給を代替しているときは、前記補助電源に蓄電された電力量の残量に応じて、前記通勤手段および前記帰宅所要時間に基づいて、前記災害印刷要求ごとに、前記帰宅誘導画像を画像形成させる順番の優先順位をつけ、
前記画像形成装置は、前記優先順位に従って、前記帰宅誘導画像を記録媒体に画像形成して出力する、請求項５に記載の画像形成装置。
【請求項７】
前記画像形成部は、前記補助電源が前記画像形成装置への電源供給を代替することにより、前記電力量の残量が所定の閾値以下になった場合は、前記通勤手段が所定の手段に該当し、かつ前記帰宅所要時間が所定の閾値を超える場合は、前記稼働可能時間が前記帰宅所要時間を超える場合であっても前記帰宅誘導画像を画像形成する判断をし、前記通勤手段が所定の手段に該当しない場合は、前記稼働可能時間が前記帰宅所要時間以下の場合であっても前記帰宅誘導画像を画像形成しない判断をする、請求項６に記載の画像形成装置。
【請求項８】
地理情報を記憶するサーバーと相互に通信可能な画像形成装置であって、
災害情報を検知する検知部と、
前記災害情報を受信した携帯端末から送信される、前記携帯端末および前記携帯端末の保有者の少なくともいずれか一方を識別可能な識別情報を含む災害印刷要求を受信し、または、前記検知部により前記災害情報が検知されたときに前記携帯端末に要求することにより前記携帯端末から送信される前記災害印刷要求を受信する第１通信部と、
前記画像形成装置の設置場所を記憶する記憶部と、
前記災害印刷要求に含まれる前記識別情報に基づいて前記携帯端末の保有者の住所を特定する演算制御部と、
前記携帯端末の保有者の住所、および前記画像形成装置の設置場所を前記サーバーに送信し、かつ前記携帯端末の保有者の住所、前記画像形成装置の設置場所、および前記サーバーに記憶された前記地理情報に基づいて前記サーバーにより特定された、前記画像形成装置の設置場所から前記携帯端末の保有者の住所までの徒歩による帰宅経路と、前記帰宅経路の徒歩による帰宅所要時間とを前記サーバーから受信する第２通信部と、
前記帰宅経路および前記帰宅所要時間を示す帰宅誘導画像を記録媒体に画像形成して出力する画像形成部と、
を有する画像形成装置。
【請求項９】
携帯端末および画像形成装置を有する画像形成システムであって、
前記携帯端末は、
災害情報を受信する受信部と、
前記災害情報が受信されたとき、または前記画像形成装置から前記携帯端末および前記携帯端末の保有者の少なくともいずれか一方を識別可能な識別情報を含む災害印刷要求を要求されたときに、前記災害印刷要求を前記画像形成装置に送信する送信部と、を有し、
前記画像形成装置は、
前記災害情報を検知する検知部と、
前記災害情報を受信した前記携帯端末から送信される前記災害印刷要求を受信し、または、前記検知部により前記災害情報が検知されたときに前記携帯端末に要求することにより前記携帯端末から送信される前記災害印刷要求を受信する通信部と、
地理情報を記憶する記憶部と、
前記災害印刷要求に含まれる前記識別情報および前記地理情報に基づいて、前記携帯端末の保有者の住所までの徒歩による帰宅経路と、前記帰宅経路を利用したときの前記携帯端末の保有者の住所までの徒歩による帰宅所要時間とを特定する演算制御部と、
前記帰宅経路および前記帰宅所要時間を示す帰宅誘導画像を記録媒体に画像形成して出力する画像形成部と、を有する画像形成システム。
【請求項１０】
画像形成装置の制御プログラムであって、
災害情報を検知する手順（ａ）と、
前記災害情報を受信した携帯端末から送信される、前記携帯端末および前記携帯端末の保有者の少なくともいずれか一方を識別可能な識別情報を含む災害印刷要求を受信し、または、前記手順（ａ）において前記災害情報が検知されたときに前記携帯端末に要求することにより前記携帯端末から送信される前記災害印刷要求を受信する手順（ｂ）と、
地理情報を記憶する手順（ｃ）と、
前記災害印刷要求に含まれる前記識別情報および前記地理情報に基づいて、前記携帯端末の保有者の住所までの徒歩による帰宅経路と、前記帰宅経路を利用したときの前記携帯端末の保有者の住所までの徒歩による帰宅所要時間とを特定する手順（ｄ）と、
前記帰宅経路および前記帰宅所要時間を示す帰宅誘導画像を記録媒体に画像形成して出力する手順（ｅ）と、
をコンピューターに実行させるためのプログラム。
【発明の詳細な説明】
【技術分野】
【０００１】
本発明は画像形成装置、画像形成システム、および画像形成装置用プログラムに関する。
【背景技術】
【０００２】
携帯端末において、インターネットに接続することにより詳細な地図情報の表示を可能とする各種マップアプリケーションが提供されている。これらのマップアプリケーションは、地震などの災害発生時に電車などの交通手段が利用できなくなったときに、帰宅の際、徒歩による帰宅経路を携帯端末に表示させるためのツールとして利用される。
【０００３】
災害発生時は、携帯端末の充電が困難な状況になる可能性が高く、家族への連絡のための通話やインターネットを介した情報収集などにより携帯端末の電池の消耗が早くなる。このため、災害発生時は、携帯端末の電池の消耗を極力抑制する必要がある。
【０００４】
災害発生時に、携帯端末の電池の消耗を抑制しつつ携帯端末に保存された連絡先などの一定の情報を取得可能な先行技術として下記特許文献１に記載されたものがある。すなわち、画像形成装置において、当該画像形成装置との無線通信可能範囲内に移動した携帯端末から連絡先などの一定の情報を無線通信により取得し保持する。画像形成装置は、携帯端末が無線通信可能範囲外に移動した際に、保持された当該携帯端末の情報を消去する。そして、あらかじめ指定された緊急出力信号が入力されたときに保持されている情報を印刷する。これにより、印刷物から一定の情報を取得できるため、当該情報を表示するために携帯端末を使用する必要がなくなり、電池の消耗を抑制できる。
【先行技術文献】
【特許文献】
【０００５】
【特許文献１】特開２０１４−６５２２１号公報
【発明の概要】
【発明が解決しようとする課題】
【０００６】
しかし、上記先行技術は、災害発生時に交通手段が利用できなくなった際、画像形成装置の設置場所から自宅までの徒歩による帰宅経路や徒歩による帰宅所要時間といった携帯端末に通常保存されない情報を、携帯端末の電池の消耗を抑制しつつ取得できない。
【０００７】
本発明は、上記問題を解決するためになされたものである。すなわち、災害発生時に、携帯端末の電池の消耗を抑制しつつ、自宅までの徒歩による帰宅経路および徒歩による帰宅所要時間の取得を可能にする画像形成装置を提供することを目的とする。
【課題を解決するための手段】
【０００８】
本発明の上記課題は、以下の手段によって解決される。
【０００９】
（１）災害情報を検知する検知部と、前記災害情報を受信した携帯端末から送信される、前記携帯端末および前記携帯端末の保有者の少なくともいずれか一方を識別可能な識別情報を含む災害印刷要求を受信し、または、前記検知部により前記災害情報が検知されたときに前記携帯端末に要求することにより前記携帯端末から送信される前記災害印刷要求を受信する通信部と、地理情報を記憶する記憶部と、前記災害印刷要求に含まれる前記識別情報および前記地理情報に基づいて、前記携帯端末の保有者の住所までの徒歩による帰宅経路と、前記帰宅経路の徒歩による帰宅所要時間とを特定する演算制御部と、前記帰宅経路および前記帰宅所要時間を示す帰宅誘導画像を記録媒体に画像形成する画像形成部と、を有する画像形成装置。
【００１０】
（２）前記演算制御部は、前記識別情報に基づいて前記携帯端末の保有者の住所を特定し、特定した前記住所および前記地理情報に基づいて前記帰宅経路と、前記帰宅所要時間とを特定する、上記（１）に記載の画像形成装置。
【００１１】
（３）前記演算制御部は、前記災害情報が検知された後は、前記災害印刷要求に関する処理のみを実行するように前記画像形成装置を制御する、上記（１）または（２）に記載の画像形成装置。
【００１２】
（４）前記通信部は、前記携帯端末と赤外線通信または無線ネットワーク通信により相互に通信可能に接続され、前記赤外線通信または前記無線ネットワーク通信により前記通信部により受信される前記災害印刷要求には前記携帯端末の充電残量がさらに含まれ、前記演算制御部は、前記災害印刷要求に含まれる前記識別情報および前記充電残量に基づいて、前記災害印刷要求を送信した前記携帯端末の、常に画像が表示された状態における前記充電残量による稼働可能時間を算出し、前記稼働可能時間が前記帰宅所要時間以下の場合は記録媒体に前記帰宅誘導画像を画像形成する判断をし、前記稼働可能時間が前記帰宅所要時間を超える場合は前記帰宅誘導画像を画像形成しない判断をし、前記画像形成部は、前記帰宅誘導画像を画像形成する判断がされた場合に、前記帰宅誘導画像を記録媒体に画像形成し、前記帰宅誘導画像を画像形成しない判断がされた場合は、前記帰宅誘導画像を記録媒体に画像形成しない、上記（１）〜（３）のいずれかに記載の画像形成装置。
【００１３】
（５）外部からの前記画像形成装置への電源供給が停止したときに、蓄電した電力量により前記電源供給を代替する補助電源をさらに有し、前記記憶部は、前記地理情報として、前記識別情報ごとに前記帰宅経路および前記帰宅所要時間を前記識別情報と関連付けてさらに記憶し、前記演算制御部は、前記識別情報および前記地理情報に基づいて、前記識別情報と関連付けされた前記帰宅経路および前記帰宅所要時間を、前記識別情報が含まれる前記災害印刷要求を送信した前記携帯端末の保有者の前記帰宅経路および前記帰宅所要時間として特定する、上記（４）に記載の画像形成装置。
【００１４】
（６）前記記憶部は、前記携帯端末の保有者ごとの通常時の帰宅の際の通勤手段をさらに記憶し、前記演算制御部は、前記補助電源が前記画像形成装置への前記電源供給を代替しているときは、前記補助電源に蓄電された電力量の残量に応じて、前記通勤手段および前記帰宅所要時間に基づいて、前記災害印刷要求ごとに、前記帰宅誘導画像を画像形成させる順番の優先順位をつけ、前記画像形成装置は、前記優先順位に従って、前記帰宅誘導画像を記録媒体に画像形成して出力する、上記（５）に記載の画像形成装置。
【００１５】
（７）前記画像形成部は、前記補助電源が前記画像形成装置への電源供給を代替することにより、前記電力量の残量が所定の閾値以下になった場合は、前記通勤手段が所定の手段に該当し、かつ前記帰宅所要時間が所定の閾値を超える場合は、前記稼働可能時間が前記帰宅所要時間を超える場合であっても前記帰宅誘導画像を画像形成する判断をし、前記通勤手段が所定の手段に該当しない場合は、前記稼働可能時間が前記帰宅所要時間以下の場合であっても前記帰宅誘導画像を画像形成しない判断をする、上記（６）に記載の画像形成装置。
【００１６】
（８）地理情報を記憶するサーバーと相互に通信可能な画像形成装置であって、災害情報を検知する検知部と、前記災害情報を受信した携帯端末から送信される、前記携帯端末および前記携帯端末の保有者の少なくともいずれか一方を識別可能な識別情報を含む災害印刷要求を受信し、または、前記検知部により前記災害情報が検知されたときに前記携帯端末に要求することにより前記携帯端末から送信される前記災害印刷要求を受信する第１通信部と、前記画像形成装置の設置場所を記憶する記憶部と、前記災害印刷要求に含まれる前記識別情報に基づいて前記携帯端末の保有者の住所を特定する演算制御部と、前記携帯端末の保有者の住所、および前記画像形成装置の設置場所を前記サーバーに送信し、かつ前記携帯端末の保有者の住所、前記画像形成装置の設置場所、および前記サーバーに記憶された前記地理情報に基づいて前記サーバーにより特定された、前記画像形成装置の設置場所から前記携帯端末の保有者の住所までの徒歩による帰宅経路と、前記帰宅経路の徒歩による帰宅所要時間とを前記サーバーから受信する第２通信部と、前記帰宅経路および前記帰宅所要時間を示す帰宅誘導画像を記録媒体に画像形成して出力する画像形成部と、を有する画像形成装置。
【００１７】
（９）携帯端末および画像形成装置を有する画像形成システムであって、前記携帯端末は、災害情報を受信する受信部と、前記災害情報が受信されたとき、または前記画像形成装置から前記携帯端末および前記携帯端末の保有者の少なくともいずれか一方を識別可能な識別情報を含む災害印刷要求を要求されたときに、前記災害印刷要求を前記画像形成装置に送信する送信部と、を有し、前記画像形成装置は、前記災害情報を検知する検知部と、前記災害情報を受信した前記携帯端末から送信される前記災害印刷要求を受信し、または、前記検知部により前記災害情報が検知されたときに前記携帯端末に要求することにより前記携帯端末から送信される前記災害印刷要求を受信する通信部と、地理情報を記憶する記憶部と、前記災害印刷要求に含まれる前記識別情報および前記地理情報に基づいて、前記携帯端末の保有者の住所までの徒歩による帰宅経路と、前記帰宅経路を利用したときの前記携帯端末の保有者の住所までの徒歩による帰宅所要時間とを特定する演算制御部と、前記帰宅経路および前記帰宅所要時間を示す帰宅誘導画像を記録媒体に画像形成して出力する画像形成部と、を有する画像形成システム。
【００１８】
（１０）災害情報を検知する手順（ａ）と、前記災害情報を受信した携帯端末から送信される、前記携帯端末および前記携帯端末の保有者の少なくともいずれか一方を識別可能な識別情報を含む災害印刷要求を受信し、または、前記手順（ａ）において前記災害情報が検知されたときに前記携帯端末に要求することにより前記携帯端末から送信される前記災害印刷要求を受信する手順（ｂ）と、地理情報を記憶する手順（ｃ）と、前記災害印刷要求に含まれる前記識別情報および前記地理情報に基づいて、前記携帯端末の保有者の住所までの徒歩による帰宅経路と、前記帰宅経路を利用したときの前記携帯端末の保有者の住所までの徒歩による帰宅所要時間とを特定する手順（ｄ）と、前記帰宅経路および前記帰宅所要時間を示す帰宅誘導画像を記録媒体に画像形成して出力する手順（ｅ）と、を画像形成装置に実行させるためのプログラム。
【発明の効果】
【００１９】
災害情報を受信した携帯端末から送信され、または災害情報を検知した際に携帯端末に要求することで携帯端末から送信される識別情報を受信する。そして、識別情報とあらかじめ記憶された地理情報とに基づいて端末保有者の徒歩の帰宅経路と帰宅所要時間とを特定し、帰宅経路および帰宅所要時間を示す画像を帰宅誘導画像として出力する。これにより、災害発生時に、携帯端末の電池の消耗を抑制しつつ、自宅までの帰宅経路および帰宅所要時間を取得できる。
【図面の簡単な説明】
【００２０】
【図１】画像形成システムの構成を示すブロック図である。
【図２】画像形成装置の構成を示すブロック図である。
【図３】画像形成装置の制御部の機能ブロック図である。
【図４】画像形成装置の構成の例としてのタンデム型カラー画像形成装置の構成図である。
【図５】携帯端末の構成を示すブロック図である。
【図６】制御部の機能ブロック図である。
【図７】画像形成装置の動作を示すフローチャートである。
【図８】携帯端末の動作を示すフローチャートである。
【発明を実施するための形態】
【００２１】
以下、図面を参照して、本発明の実施形態に係る画像形成装置、画像形成システム、および画像形成装置用プログラムについて詳細に説明する。なお、図面において、同一の要素には同一の符号を付し、重複する説明を省略する。また、図面の寸法比率は、説明の都合上誇張されており、実際の比率とは異なる場合がある。
【００２２】
図１は、本発明の実施形態に係る画像形成装置を含む画像形成システムの構成を示すブロック図である。画像形成システム１０は、画像形成装置１００および携帯端末２００を有する。携帯端末２００は、画像形成装置１００とネットワーク３００を介して相互に通信可能に接続され得る。携帯端末２００と画像形成装置１００とは、たとえば無線ＬＡＮなどの無線ネットワーク通信を利用して接続され得る。携帯端末２００と画像形成装置１００とは、たとえば赤外線通信、またはＢｌｕｅｔｏｏｔｈ（登録商標）を利用してネットワーク３００を介さずに直接接続されてもよい。
【００２３】
図２は、画像形成装置の構成を示すブロック図である。画像形成装置１００は、制御部１１０、記憶部１２０、通信部１３０、電源部１４０、操作表示部１５０、画像制御部１６０、読取部１７０、および画像形成部１８０を有する。これら各部は、信号をやりとりするためのバス１９０を介して相互に接続される。
【００２４】
制御部１１０は、たとえばＣＰＵ（Ｃｅｎｔｒａｌ  Ｐｒｏｃｅｓｓｉｎｇ  Ｕｎｉｔ）により構成され、プログラムにしたがい上記各部の制御および各種の演算処理を行う。制御部１１０は演算制御部および検知部を構成する。制御部１１０の作用については後述する。
【００２５】
記憶部１２０は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、およびＨＤＤ（Ｈａｒｄ  Ｄｉｓｋ  Ｄｒｉｖｅ）により構成され得る。ＲＡＭは、揮発性の記憶デバイスであり、制御部１１０の作業領域として一時的にプログラムおよびデータを記憶する。ＲＯＭは、不揮発性の記憶デバイスであり、あらかじめ各種プログラムおよび各種データが格納される。ＨＤＤはオペレーティングシステムを含む各種プログラム、ならびに、地理情報、画像形成装置１００の設置場所、および携帯端末２００の保有者（以下、「携帯保有者」とも称する）の通常時の帰宅の際の通勤手段を含む各種データを記憶する。地理情報は、２つの地点の住所または場所の情報に基づいて当該地点間の歩行可能な経路および当該経路を利用したときの所要時間の特定が可能な情報であり、たとえば、住所および歩行可能な通路を含む地図の情報が含まれる。通常時の帰宅の際の通勤手段には、たとえば徒歩、自転車、および、電車やバスなどの公共交通機関が含まれる。
【００２６】
通信部１３０は、携帯端末２００を含む他の装置と無線または有線で通信するためのインターフェースである。通信部１３０として、たとえば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）などの無線通信規格によるインターフェースが用いられる。また、通信部１３０として、イーサネット（登録商標）、ＵＳＢなどの有線通信規格によるインターフェースが用いられ得る。通信部１３０は、第１通信部および第２通信部を構成する。
【００２７】
通信部１３０は、たとえばインターネットに接続されることにより、インターネット経由で外部のサーバーと接続されることで、サーバーに記憶されたデータやサーバーの各種演算機能を利用し得る。また、通信部１３０は、インターネット経由で、通信事業者により送信される災害情報を受信し得る。災害情報は、たとえば緊急地震速報および津波警報であり、インターネットを介してメールにより送信され得る。
【００２８】
通信部１３０は、赤外線通信または無線ＬＡＮによって、携帯端末２００と直接に通信可能なインターフェースであり得る。これにより、地震などの災害発生時に停電が生じた場合であっても、電源部１４０の補助電源１４１により動作する画像形成装置１００と、携帯端末２００との間で通信を継続できる。なお、通信部１３０と携帯端末２００とが無線ＬＡＮにより接続される場合は、ネットワークの一部がケーブルなどの有線により構成され得る。
【００２９】
通信部１３０は、災害情報を受信した携帯端末２００から送信される災害印刷要求を受信し得る。災害印刷要求とは、画像形成装置１００に対する帰宅誘導画像の用紙への画像形成の要求である。災害印刷要求には識別情報および携帯端末２００の充電残量が含まれ得る。識別情報は、携帯端末２００、および携帯保有者の少なくともいずれか一方を識別可能な情報である。識別情報には、たとえば、携帯端末２００の電話番号、携帯保有者の自宅の住所、および携帯保有者の自宅の電話番号などの個人情報、ならびに携帯端末２００のＭＡＣアドレスが含まれる。帰宅誘導画像は、地図上の携帯保有者の徒歩による帰宅経路（以下、単に「帰宅経路」と称する）および徒歩による帰宅所要時間（以下、単に「帰宅所要時間」と称する）を示す画像である。帰宅経路は、具体的には、画像形成装置１００の設置場所から携帯保有者の住所までの歩行可能な経路である。帰宅所要時間は、帰宅経路を利用した場合の画像形成装置１００の設置場所から携帯保有者の住所までの徒歩による所要時間である。後述するように、帰宅経路および帰宅所要時間は、災害印刷要求に含まれる識別情報、および記憶部１２０に記憶される地理情報に基づいて制御部１１０により特定される。
【００３０】
通信部１３０は、災害発生時に、たとえば電気通信事業者から送信される災害情報を受信する。通信部１３０は、受信した災害情報が制御部１１０により検知されたときに、携帯端末２００に要求することによっても当該携帯端末２００から送信される災害印刷情報を受信し得る。
【００３１】
電源部１４０は、電力会社から供給される商用電力を画像形成装置１００に供給する。電源部１４０は、補助電源１４１を有する。補助電源１４１は、たとえば３０分〜１時間の間、画像形成装置１００を稼働させるために必要な電力量を蓄電可能な蓄電池により構成され得る。補助電源１４１は、停電が生じた場合に、電力会社から供給される電力に代替して画像形成装置１００に電力を供給する。
【００３２】
操作表示部１５０は、各種情報を表示する液晶表示パネル、各種指示および設定を入力するタッチパネル、コピー枚数などを設定するテンキー、動作の開始を指示するスタートキー、動作の停止を指示するストップキー、各種設定条件を初期化するリセットキーなどを有する。
【００３３】
画像制御部１６０は、制御部１１０により特定される帰宅経路および帰宅所要時間に基づいて帰宅誘導画像の画像データを生成する。
【００３４】
また、画像制御部１６０は、通信部１３０により受信された印刷ジョブに含まれる印刷データのレイアウト処理およびラスタライズ処理を行い、画像データを生成する。印刷ジョブとは、画像形成装置１００に対する印刷命令の総称であり、印刷データおよび印刷設定が含まれる。印刷データとは、印刷の対象である文書のデータであり、印刷データには、例えば、イメージデータ、ベクタデータ、テキストデータといった各種データが含まれ得る。具体的には、印刷データは、ＰＤＬ（Ｐａｇｅ  Ｄｅｓｃｒｉｐｔｉｏｎ  Ｌａｎｇｕａｇｅ）データ、ＰＤＦ（Ｐｏｒｔａｂｌｅ  Ｄｏｃｕｍｅｎｔ  Ｆｏｒｍａｔ）データまたはＴＩＦＦ（Ｔａｇｇｅｄ  Ｉｍａｇｅ  Ｆｉｌｅ  Ｆｏｒｍａｔ）データであり得る。印刷設定とは、用紙への画像形成に関する設定であり、たとえば、印刷部数、用紙の種類、ページ割付、カラーまたはモノクロの選択などの各種設定が含まれる。
【００３５】
読取部１７０は、原稿台の所定の読み取り位置にセットされた原稿に蛍光ランプ等の光源で光を当て、その反射光をＣＣＤ（Ｃｈａｒｇｅ  Ｃｏｕｐｌｅｄ  Ｄｅｖｉｃｅ）イメージセンサーなどの撮像装置で光電変換して、その電気信号から画像データを生成する。
【００３６】
画像形成部１８０は、電子写真方式により帯電、露光、現像、転写および定着の各工程を経て、用紙に画像データに基づく画像形成を行う。
【００３７】
制御部１１０の作用について説明する。
【００３８】
図３は、制御部の機能ブロック図である。制御部１１０は、地理情報管理部１１１、地理情報処理部１１２、災害情報検知部１１３、通信処理部１１４、携帯端末稼働可能時間算出部１１５、補助電源管理部１１６、および画像形成制御部１１７を有する。
【００３９】
地理情報管理部１１１は、記憶部１２０に記憶される地理情報を管理する。地理情報管理部１１１は、帰宅経路および帰宅所要時間を識別情報と紐付けて登録し、地理情報として管理してもよい。識別情報と紐付けられる帰宅経路および帰宅所要時間は、帰宅経路および帰宅所要時間を示す画像データであってもよい。地理情報管理部１１１は、識別情報に帰宅経路および帰宅所要時間が紐付けられて登録されているかどうか判断し得る。
【００４０】
地理情報処理部１１２は、識別情報に帰宅経路および帰宅所要時間が紐付けられて登録されていないと地理情報管理部１１１により判断された場合は、識別情報に基づいて携帯保有者の帰宅経路および帰宅所要時間を特定する。地理情報処理部１１２は、識別情報と携帯保有者の住所とを紐付けたテーブルをあらかじめ記憶部１２０に記憶させておくことにより、識別情報と当該テーブルとを照合することで、携帯保有者の住所を特定し得る。地理情報処理部１１２は、地理情報を利用して、画像形成装置１００の設置場所から携帯保有者の住所までの歩行可能な経路を演算することにより、帰宅経路を特定し得る。地理情報処理部１１２は、地理情報から帰宅経路の距離を算出し、一般的な歩行速度で除算することにより帰宅所要時間を特定し得る。一般的な歩行速度は、たとえば、８０〜１００ｍ／分とし得る。
【００４１】
地理情報処理部１１２は、帰宅経路および帰宅所要時間の特定を、地理情報を記憶している図示しないサーバーに実行させ得る。すなわち、地理情報処理部１１２は、特定した携帯保有者の住所および画像形成装置１００の設置場所をサーバーに送信する。サーバーにより、携帯保有者の住所、画像形成装置１００の設置場所、および地理情報に基づいて帰宅経路および帰宅所要時間が特定される。地理情報処理部１１２は、帰宅経路および帰宅所要時間を、サーバーから通信部１３０を介して受信し得る。
【００４２】
災害情報検知部１１３は、通信部１３０により受信された災害情報を検知する。災害情報検知部１１３は、たとえば、メールとして受信された災害情報の当該メールの種類により災害情報を検知し得る。
【００４３】
通信処理部１１４は、災害情報検知部１１３により災害情報が検知されると、携帯端末２００に災害印刷要求の送信を要求し得る。通信処理部１１４は、携帯端末２００に要求することで携帯端末２００から送信される災害印刷要求を、通信部１３０を介して受信する。
【００４４】
通信処理部１１４は、後述するように、画像形成部１８０により災害印刷要求に基づく帰宅誘導画像の用紙への画像形成がされたときは、帰宅誘導画像の画像形成が完了したことを、当該災害印刷要求を送信した携帯端末２００に通知する。通信処理部１１４は、画像形成制御部１１７により、災害印刷要求に基づく帰宅誘導画像の用紙への画像形成をしない判断がされた場合は、帰宅誘導画像の画像形成が不要であることを、当該災害要求を送信した携帯端末２００に通知する。
【００４５】
携帯端末稼働可能時間算出部１１５は、災害印刷要求に含まれる識別情報および携帯端末２００の充電残量に基づいて、災害印刷要求を送信した携帯端末２００の稼働可能時間（以下、単に「稼働可能時間」とも称する）を算出する。稼働可能時間とは、常に画像が表示された状態での充電残量による携帯端末２００の稼働が可能な時間である。携帯端末稼働可能時間算出部１１５は、携帯端末２００の、常に画像が表示された状態における単位時間あたりの消費電力で携帯端末２００の充電残量を除算することにより稼働可能時間を算出し得る。常に画像が表示された状態における単位時間あたりの消費電力は、あらかじめ記憶部１２０に記憶させ得る。
【００４６】
補助電源管理部１１６は、補助電源１４１に蓄電された電力量の残量を検出し、管理する。補助電源管理部１１６は、たとえば、電圧計により測定された補助電源１４１の電圧に基づいて、補助電源１４１の電力量の残量を検出し得る。具体的には、補助電源１４１の電圧と、補助電源１４１の電力量の残量との関係のデータをあらかじめ記憶部１２０に記憶させておき、測定された補助電源１４１の電圧と当該データとを照合することで、補助電源１４１の電力量の残量を検出し得る。補助電源管理部１１６は、満充電させた補助電源１４１による画像形成装置１００の稼働可能時間と、補助電源１４１を満充電させた後の補助電源１４１による画像形成装置１００の実際の稼働時間との比に基づいて補助電源１４１の電力量の残量を検出してもよい。この場合、満充電させた補助電源１４１による画像形成装置１００の稼働可能時間はあらかじめ記憶部１２０に記憶され得る。
【００４７】
画像形成制御部１１７は、災害情報検知部１１３により災害情報が検知された後は、災害印刷要求に関する処理のみを実行するように、画像形成装置１００の各部を制御する。災害印刷要求に関する処理には、携帯端末２００への災害印刷要求の送信の要求、災害印刷要求の受信、災害印刷要求に基づく帰宅経路および帰宅所要時間の特定、および帰宅誘導画像の用紙への画像形成が含まれる。
【００４８】
画像形成制御部１１７は、携帯端末２００の稼働可能時間が帰宅所要時間以下の場合は帰宅誘導画像を画像形成する判断をし、画像形成部１８０に当該帰宅誘導画像を用紙へ画像形成させ得る。画像形成制御部１１７は、稼働可能時間が帰宅所要時間を超える場合は帰宅誘導画像を画像形成しない判断をし、画像形成部１８０に対し、当該帰宅誘導画像を用紙へ画像形成させない制御をし得る。
【００４９】
画像形成制御部１１７は、補助電源１４１が画像形成装置１００への電源供給を代替しているときは、次のように画像形成部１７０に帰宅誘導画像を画像形成させる順番の優先順位をつけ得る。すなわち、画像形成制御部１１７は、補助電源１４１の電力量の残量に応じて、携帯保有者の通常時の帰宅の際の通勤手段および帰宅所要時間に基づいて、災害印刷要求ごとに、画像形成部１７０に帰宅誘導画像を画像形成させる順番の優先順位をつけ得る。画像形成制御部１１６は、たとえば、次のように災害印刷要求について優先順位をつけ得る。すなわち、補助電源１４１の電力量の残量が所定の閾値以下となった場合、通常時の帰宅の際の通勤手段が所定の手段で、かつ帰宅所要時間が所定の閾値以上の携帯保有者の携帯端末２００から送信された災害印刷要求を最優先とする優先順位をつけ得る。補助電源１４１の電力量の残量についての所定の閾値は、たとえば３０％〜５０％以下であり得る。帰宅所要時間についての所定の閾値は、たとえば１時間〜２時間とし得る。通常時の帰宅の際の通勤手段についての所定の手段は、たとえば公共交通機関であり得る。なお、上記通勤手段の所定の手段、および帰宅所要時間についての所定の閾値は、補助電源１４１の電力量の残量に応じて変えられ得る。
【００５０】
また、画像形成制御部１１７は、補助電源１４１の電力量の残量が所定の閾値以下となった場合に、次のように、災害印刷要求ごとに、画像形成部１８０に帰宅誘導画像を画像形成させるかどうか判断し得る。すなわち、画像形成制御部１１７は、携帯保有者の通常時の帰宅の際の通勤手段が所定の手段で、かつ帰宅所要時間が所定の閾値を超えた場合は、稼働可能時間が帰宅所要時間を超える場合であっても帰宅誘導画像を画像形成させる判断をし得る。また、画像形成制御部１１６は、携帯端末２００の保有者の通常時の帰宅の際の通勤手段が所定の手段以外の場合は、稼働可能時間が帰宅所要時間以下の場合であっても帰宅誘導画像を画像形成させない判断をし得る。この場合における補助電源１４１の電力量の残量についての所定の閾値は、たとえば電源容量の３０％〜５０％以下であり得る。通常時の帰宅の際の通勤手段についての所定の手段は、たとえば公共交通機関であり得る。帰宅所要時間についての所定の閾値は、たとえば１時間〜２時間とし得る。
【００５１】
図４は、画像形成装置の構成の例としてのタンデム型カラー画像形成装置の構成図である。
【００５２】
画像形成装置１００は、４組の画像形成部によりカラーの画像形成を行う。
【００５３】
原稿台上に載置された原稿は読取部１７０の走査露光装置の光学系により画像が走査露光され、ラインイメージセンサーに読み込まれ、光電変換され、画像情報信号が生成される。画像情報信号は、画像制御部１８０で、アナログ処理、Ａ／Ｄ変換、シェーディング補正、画像圧縮処理などを行った後、画像形成部の光書込部に入力される。
【００５４】
４組の作像ユニットはイエロー（Ｙ）色の画像を形成する作像ユニット１１Ｙ、マゼンタ（Ｍ）色の画像を形成する作像ユニット１１Ｍ、シアン（Ｃ）色の画像を形成する作像ユニット１１Ｃ、黒（Ｋ）色の画像を形成する作像ユニット１１Ｋである。各作像ユニットは、それぞれ共通する符号１１の後に形成する色をあらわす符号Ｙ、Ｍ、Ｃ、Ｋを付して表記される。
【００５５】
作像ユニット１１Ｙは、感光体ドラム１Ｙおよびその周囲に配置された帯電部２Ｙ、光書込部３Ｙ、現像装置４Ｙおよびドラムクリーナー５Ｙを有して構成される。
【００５６】
同様に、作像ユニット１１Ｍは、感光体ドラム１Ｍの周囲に配置された帯電部２Ｍ、光書込部３Ｍ、現像装置４Ｍおよびドラムクリーナー５Ｍを有して構成される。作像ユニット１１Ｃは、感光体ドラム１Ｃの周囲に配置された帯電部２Ｃ、光書込部３Ｃ、現像装置４Ｃおよびドラムクリーナー５Ｃを有して構成される。作像ユニット１１Ｋは、感光体ドラム１Ｋの周囲に配置された帯電部２Ｋ、光書込部３Ｋ、現像装置４Ｋおよびドラムクリーナー５Ｋを有して構成される。
【００５７】
作像ユニット１１Ｙ、１１Ｍ、１１Ｃ、１１Ｋは、それぞれ光書込部３Ｙ、３Ｍ、３Ｃ、３Ｋにて画像情報信号を感光体ドラム１Ｙ、１Ｍ、１Ｃ、１Ｋに書き込み、感光体ドラム１Ｙ、１Ｍ、１Ｃ、１Ｋに画像情報信号に基づく潜像を形成する。そして潜像は現像装置４Ｙ、４Ｍ、４Ｃ、４Ｋにより現像され、感光体ドラム１Ｙ、１Ｍ、１Ｙ、１Ｋ上に可視画像であるトナー画像が形成される。
【００５８】
作像ユニット１１Ｙ、１１Ｍ、１１Ｃ、１１Ｋのそれぞれ感光体ドラム１Ｙ、１Ｍ、１Ｃ、１Ｋに、それぞれ、イエロー（Ｙ）色、マゼンタ（Ｍ）色、シアン（Ｃ）色、黒（Ｋ）色、の画像が形成される。
【００５９】
中間転写ベルト６は、複数のローラーにより巻回され、走行可能に支持されている。
【００６０】
作像ユニット１１Ｙ、１１Ｍ、１１Ｃ、１１Ｋより形成された各色のトナー画像は、走行する中間転写ベルト６上に一次転写部７Ｙ、７Ｍ、７Ｃ、７Ｋにより逐次転写される。これにより、Ｙ（イエロー）、Ｍ（マゼンタ）、Ｃ（シアン）、Ｋ（黒）の各色層が重畳したカラーのトナー画像が形成される。
【００６１】
用紙搬送部ＨＲ１０は用紙Ｓを搬送する。用紙Ｓは給紙トレイ２９１、２９２、２９３に収容されており、第１給紙部１２により給紙され、レジストローラー１３を経て、二次転写部７Ａに搬送され、用紙Ｓ上に中間転写ベルト６上のトナー画像が転写される。二次転写部７Ａは転写手段の一例であり、トナー画像を用紙Ｓに転写させ、当該用紙Ｓを搬送する。
【００６２】
トナー画像が転写された用紙Ｓは、定着部１４にて熱と圧力とを加えることにより用紙Ｓ上のトナー画像が定着され、トナー画像の転写および定着により画像形成がされた用紙Ｓは定着搬送ローラー１５および排紙ローラー１６を経て装置外に排出される。
【００６３】
定着部１４は、定着ローラー３１、押圧ローラー３２、加熱ローラー３３、および定着ベルト３４を有する。定着ローラー３１が押圧ローラー３２により押圧されることで形成されるニップ領域において、用紙Ｓは加熱ローラー３３を介して加熱された定着ベルト３４とともに挟持される。そして、用紙Ｓ上に転写されたトナー画像のトナーが加熱および加圧されてトナー画像が用紙Ｓに定着される。定着部１４は定着手段の一例であり、二次転写部７Ａにより用紙Ｓに転写されたトナー画像を用紙Ｓに定着させ、当該用紙Ｓを搬送する。
【００６４】
画像形成装置１００は用紙反転部２４を備えており、定着がなされた用紙を定着搬送ローラー１５から用紙反転部２４に導いて表裏を反転して排出、あるいは用紙の両面に画像形成させ得る。
【００６５】
図５は、携帯端末の構成を示すブロック図である。携帯端末２００は、制御部２１０、記憶部２２０、通信部２３０、電源部２４０、操作表示部２５０、および通話部２６０を有し、これらは信号をやり取りするためのバス２７０を介して相互に接続される。
【００６６】
制御部２１０は、たとえばＣＰＵにより構成され、プログラムにしたがい上記各部の制御および各種の演算処理を行う。制御部２１０の作用については後述する。
【００６７】
記憶部２２０は、ＲＡＭ、ＲＯＭ、ＳＳＤ（Ｓｏｌｉｄ  Ｓｔａｔｅ  Ｄｒｉｖｅ）により構成され得る。ＲＡＭは、制御部２１０の作業領域として一時的にプログラムおよびデータを記憶する。ＲＯＭおよびＳＳＤにより、制御部２１０が携帯端末２００の各構成要素を制御するためのプログラムを含む各種プログラムや、識別情報および携帯端末２００の充電残量を含む各種データが記憶される。充電残量は、電源部１４０に充電された電力量の残量、または電源部１４０に充電された電力量の残量の、電源部１４０の充電容量に対する比である。
【００６８】
通信部２３０は、画像形成装置１００と相互に通信可能に接続されるためのインターフェースである。当該インターフェースとして、たとえば、ＩＥＥＥ８０２．１１、Ｂｌｕｅｔｏｏｔｈ（登録商標）、ＩｒＤＡなどの無線通信規格によるインターフェースが用いられる。通信部２３０は、受信部および送信部を構成する。
【００６９】
通信部２３０は、基地局との間で、各通信事業者が採用する通信規格により無線通信するためのインターフェースでもある。通信部２３０は、基地局を介して通信事業者により送信される災害情報を受信し得る。通信部２３０は、たとえば、基地局を介して、インターネット経由で、通信事業者によりメールにより携帯端末２００に送信される災害情報を受信し得る。
【００７０】
また、通信部２３０は、基地局から受信した無線信号を復調した音声信号を復号して通話部２６０に出力する。通信部２３０は、通話部２６０から入力される音声を符号化し、基地局に送信する。
【００７１】
電源部２４０は、携帯端末２００を稼働させるための電力を携帯端末２００に供給する。電源部２４０は、携帯端末２００を駆動するための電力の供給が可能で、かつ携帯端末２００を一定時間稼働可能な電力量を蓄電可能な蓄電池により構成され得る。電源部２４０として、たとえばリチウムイオン二次電池が用いられ得る。
【００７２】
操作表示部２５０は、たとえば、各種情報を表示する液晶ディスプレイ、各種設定および入力を行うタッチパネル、および固定キーにより構成され得る。
【００７３】
通話部２６０は、マイクおよびスピーカを備え、通信部２３０から入力される音声信号に基づく音声をスピーカから出力する。通話部２６０は、マイクから入力される音声を符号化して通信部２３０に送信する。
【００７４】
制御部２１０の作用について説明する。
【００７５】
図６は、制御部の機能ブロック図である。制御部２１０は、識別情報管理部２１１、充電残量管理部２１２、災害印刷要求生成部２１３、および表示制御部２１４を有する。
【００７６】
識別情報管理部２１１は、記憶部２２０に記憶される識別情報を管理する。識別情報管理部２１１は、たとえば携帯端末２００の保有者が変更された場合は、表示操作部２５０において入力される識別情報の更新の指示に基づいて、記憶部２２０に記憶されている識別情報を新たな保有者の識別情報に更新する。
【００７７】
充電残量管理部２１２は、電源部２４０の充電残量を検出し、管理する。充電残量管理部２１２は、たとえば、電圧計により測定された電源部２４０の電圧に基づいて、充電残量を検出し得る。具体的には、電源部２４０の電圧と、充電残量との関係のデータをあらかじめ記憶部２２０に記憶させておき、測定された電源部２４０の電圧と当該データとを照合することで、充電残量を検出し得る。
【００７８】
災害印刷要求生成部２１３は、通信部２３０により災害情報が受信されると、記憶部２２０に記憶された識別情報および充電容量を含む災害印刷要求を生成し、通信部２３０により画像形成装置１００に送信し得る。なお、災害印刷要求生成部２１３は、通信部２３０により災害情報が受信された後、操作表示部２５０から携帯保有者により入力される災害印刷要求の作成の指示を待って災害印刷要求を生成し、画像形成装置１００に送信してもよい。
【００７９】
表示制御部２１４は、災害情報が受信されると、操作表示部２５０に災害情報を表示させる。表示制御部２１４は、画像形成装置１００から帰宅誘導画像の画像形成が完了したことの通知が通信部２３０により受信されると、帰宅誘導画像の画像形成が完了したことを操作表示部２５０に表示させる。また、表示制御部２１４は、画像形成装置１００から帰宅誘導画像の画像形成が不要であることの通知が通信部２３０により受信されると、帰宅誘導画像の画像形成が不要であることを操作表示部２５０に表示する。
【００８０】
画像形成システム１０の動作について説明する。
【００８１】
図７は、画像形成装置の動作を示すフローチャートである。本フローチャートは、画像形成装置１００の制御部１１０により、プログラムにしたがい実行され得る。
【００８２】
制御部１１０は、通信部１３０により受信することで災害情報を検知する（Ｓ１０１）。
【００８３】
制御部１１０は、携帯端末２００から災害印刷要求を受信する（Ｓ１０２）。上述したように、制御部１１０は、災害情報を受信した携帯端末２００から送信される災害印刷要求を受信してもよく、災害情報を受信したときに携帯端末２００に要求することに応答して当該携帯端末２００から送信される災害印刷要求を受信してもよい。
【００８４】
制御部１１０は、識別情報に帰宅経路および帰宅時間が紐付けられて登録されているかどうか判断する（Ｓ１０３）。
【００８５】
制御部１１０は、識別情報に帰宅経路および帰宅時間が紐付けられて登録されていない場合は（Ｓ１０３：ＮＯ）、識別情報と地理情報とから帰宅経路を演算することにより、帰宅経路を特定する（Ｓ１０４）。さらに、制御部１１０は、特定された帰宅経路に基づいて帰宅所要時間を演算することにより、帰宅所要時間を特定する（Ｓ１０５）。
【００８６】
制御部１１０は、識別情報に帰宅経路および帰宅時間が紐付けられて登録されている場合は（Ｓ１０３：ＹＥＳ）、識別情報に紐付けされている帰宅経路および帰宅時間を特定する（Ｓ１０６）。
【００８７】
制御部１１０は、災害印刷要求に含まれる携帯端末２００の充電残量に基づいて携帯端末稼働可能時間を算出する（Ｓ１０７）。
【００８８】
制御部１１０は、携帯端末稼働可能時間が帰宅所要時間を超えているかどうか判断する（Ｓ１０８）。
【００８９】
制御部１１０は、携帯端末稼働可能時間が帰宅所要時間を超えていると判断した場合は（Ｓ１０８：ＹＥＳ）、帰宅誘導画像の画像形成が不要であることの通知を携帯端末２００に送信する。
【００９０】
制御部１１０は、携帯端末稼働可能時間が帰宅所要時間以下であると判断した場合は（Ｓ１０８：ＮＯ）、画像形成部１８０に帰宅誘導画像の用紙への画像形成をさせ（Ｓ１０９）、帰宅誘導画像の画像形成が完了したことの通知を携帯端末２００に送信する（Ｓ１１０）。
【００９１】
図８は、携帯端末の動作を示すフローチャートである。本フローチャートは、図７のフローチャートと並列処理される。本フローチャートは、携帯端末２００の制御部２１０により、プログラムにしたがい実行され得る。
【００９２】
制御部２１０は、通信部２３０により災害情報を受信されると（Ｓ２０１）、画像形成装置１００に災害印刷要求を送信する（Ｓ２０２）。
【００９３】
制御部２１０は、災害印刷要求を送信した画像形成装置１００から、当該災害印刷要求に基づく帰宅誘導画像の画像形成が完了したことの通知、または帰宅誘導画像の画像形成が不要であることの通知を通信部２３０を介して受信する（Ｓ２０３）。
【００９４】
制御部２１０は、災害印刷要求に基づく帰宅誘導画像の画像形成が完了したことの通知を受信した場合は、その旨を操作表示部２５０に表示する。制御部２１０は、災害印刷要求に基づく帰宅誘導画像の画像形成が不要であることの通知を受信した場合は、その旨を操作表示部２５０に表示する（Ｓ２０４）。
【００９５】
本実施形態は、以下の効果を奏する。
【００９６】
災害情報を受信した携帯端末から送信され、または災害情報を検知した際に携帯端末に要求することで携帯端末から送信される災害印刷要求を受信する。そして、災害印刷要求に含まれる識別情報とあらかじめ記憶された地理情報とに基づいて端末保有者の徒歩の帰宅経路と帰宅所要時間とを特定し、帰宅経路および帰宅所要時間を示す画像を帰宅誘導画像として出力する。これにより、災害発生時に、携帯端末の電池の消耗を抑制しつつ、自宅までの帰宅経路および帰宅所要時間を取得できる。
【００９７】
さらに、識別情報に基づいて携帯端末の保有者の住所を特定し、特定した住所および地理情報に基づいて帰宅経路と、帰宅所要時間とを特定する。これにより、より簡単に帰宅経路および帰宅所要時間を特定できる。
【００９８】
さらに、災害情報が検知された後は、災害印刷要求に関する処理のみを実行する。これにより、災害発生時に、帰宅誘導画像をより確実に画像形成できる。
【００９９】
さらに、携帯端末との通信を赤外線通信または無線ネットワーク通信で行うとともに、災害印刷要求に携帯端末の充電残量を含め、識別情報および充電残量に基づいて災害印刷要求を送信した携帯端末の、画像が表示された状態での稼働可能時間を算出する。稼働可能時間が帰宅所要時間以下の場合には帰宅誘導画像を画像形成し、稼働可能時間が帰宅所要時間を超える場合は帰宅誘導画像を画像形成しないようにする。これにより、帰宅するまで携帯端末を稼働し続けることができないために帰宅誘導画像の必要性が高い携帯保有者に対しより確実に帰宅誘導画像を提供できる。
【０１００】
さらに、補助電源を有する画像形成装置においては、識別情報ごとに帰宅経路および帰宅所要時間を識別情報と関連付けて地理情報として記憶する。そして、災害印刷要求に含まれる識別情報、および地理情報に基づいて、識別情報と関連付けされた帰宅経路および帰宅所要時間を、災害印刷要求を送信した携帯端末の保有者の帰宅経路および帰宅所要時間として特定する。これにより、帰宅経路および帰宅所要時間を演算により特定することによる消費電力を抑制することで補助電源の消耗を抑制できる。
【０１０１】
さらに、携帯保有者ごとに通常時の帰宅の際の通勤手段を記憶し、補助電源使用の際は、補助電源に蓄電された電力量の残量に応じて、通勤手段および帰宅所要時間に基づいて、災害印刷要求ごとに、帰宅誘導画像を画像形成させる順番の優先順位をつける。これにより、たとえば補助電源の電力量が所定の閾値以下となったときに、通常時の帰宅の際の通勤手段が公共交通機関で、かつ帰宅所要時間が所定の閾値以上である携帯保有者に対して、より確実に帰宅誘導画像を提供できる。
【０１０２】
さらに、補助電源に蓄電された電力量の残量が所定の閾値以下になった場合は、通勤手段が所定の手段で、かつ帰宅所要時間が所定の閾値を超える場合は、稼働可能時間が帰宅所要時間を超えていても帰宅誘導画像を画像形成する。そして、通勤手段が所定の手段に該当しない場合は、稼働可能時間が帰宅所要時間以下であっても帰宅誘導画像を画像形成しない。これにより、補助電源の電力量が少なくなったときに、たとえば通常時の帰宅の際の通勤手段が公共交通機関で、帰宅所要時間が比較的長い携帯保有者に対して、携帯端末の稼働可能時間によらず、より確実に帰宅誘導画像を提供できる。また、徒歩や自転車で帰宅できる携帯保有者には帰宅誘導画像を提供しないことで補助電源の消耗を抑制できる。
【０１０３】
災害情報を受信した携帯端末から送信され、または災害情報を検知した際に携帯端末に要求することで携帯端末から送信される災害印刷要求を受信する。災害印刷要求に含まれる識別情報に基づいて携帯端末の保有者の住所を特定し、特定した住所および記憶した画像形成装置の設置場所をサーバーに送信する。そして、携帯端末の保有者の住所、画像形成装置の設置場所、およびサーバーに記憶された地理情報に基づいて帰宅経路および帰宅所要時間をサーバーに特定させ、帰宅経路および帰宅所要時間を示す画像を帰宅誘導画像として出力する。これにより、災害発生時に、携帯端末の電池の消耗を抑制しつつ、自宅までの帰宅経路および帰宅所要時間を取得できる。
【０１０４】
本発明に係る画像形成装置、画像形成システム、および画像形成装置用プログラムは、上述した実施形態に限定されない。
【０１０５】
例えば、上述した実施形態においては、画像形成装置において災害情報が受信されることにより災害情報が検知される。しかし、画像形成装置に設けた地震計により地震が検知されることにより災害情報が検知されてもよく、地震を体感したユーザーにより画像形成装置の操作表示部に災害情報が入力されることにより災害情報が検知されてもよい。
【０１０６】
また、実施形態においてプログラムにより実行される処理の一部または全部を回路などのハードウェアに置き換えて実施され得る。
【符号の説明】
【０１０７】
１０    画像形成システム、
１００    画像形成装置、
１１０    制御部、
１２０    記憶部、
１３０    通信部、
１４０    電源部、
１４１    補助電源、
１５０    操作表示部、
１６０    画像制御部、
１８０    画像形成部、
２００    携帯端末、
２１０    制御部、
２２０    記憶部、
２３０    通信部、
２４０    電源部、
２５０    操作表示部。
【図１】
2018176431.tif 000003
【図２】
2018176431.tif 000004
【図３】
2018176431.tif 000005
【図４】
2018176431.tif 000006
【図５】
2018176431.tif 000007
【図６】
2018176431.tif 000008
【図７】
2018176431.tif 000009
【図８】
2018176431.tif 000010